(57)【要約】      （修正有）【課題】レバー部材をノズルに固定しても、ステムの押し込み及び復元の動作を妨げることなく、組み付け作業性に優れたポンプ式流体注出器を提供する。【解決手段】容器口部11に装着されるベース２と、口部１１内側に配置されるポンプ４と、ポンプ４を駆動させるステム５と、ステム５から前方に向かって伸びるノズル６と、ベース２から後方に向かって伸びる先端部２ｄにピンが設けられたアームと、このアームピンに回動可能に支持される後端部３ａを基点とする下向きの揺動により、ステム５の押し下げを生起させるハンドル３とを備えるフォーマーディスペンサである。ノズル後端部の左右にそれぞれ、ピン６ｐを設けると共に、ピン６ｐを回動可能に支持する側壁を設け、ノズル６をステム５に対して上下方向に揺動可能にすることにより、ステム５の押し込み及び復元の機能を確保する。【選択図】図１
2010005599.tif 000002
【特許請求の範囲】
【請求項１】
容器の口部に装着されるベースと、このベースにより前記口部内側に配置されるポンプと、このポンプから前記ベースを通って起立してその押し下げ及び復元の繰り返しにより当該ポンプを駆動させるステムと、このステムを通って汲み上げられた流体の注出口を有し当該ステムから前方に伸びるノズルと、前記ベースから後方に伸びるアームと、このアームを基点とする下向きの揺動により、前記ステムの押し下げを生起させるレバー部材とを備えるポンプ式流体注出器であって、
前記ノズルの後端部を前記ステムの上端に回動可能に支持し、上下方向に揺動可能にすることにより、当該ステムの押し込み及び復元の機能を確保したことを特徴とするポンプ式流体注出器。
【請求項２】
請求項１において、前記レバー部材を前記ノズルに一体に連結したことを特徴とするポンプ式流体注出器。
【発明の詳細な説明】
【技術分野】
【０００１】
本発明は、容器の口部に装着されるベースにより当該口部内側にポンプを配置し、このポンプから、その押し下げ及び復元の繰り返しにより当該ポンプを駆動させるステムをベースを通して起立させ、このステムを通って汲み上げられた流体を、当該ステムから前方に向かって伸ばしたノズルから注出するにあたり、ベースから後方に伸ばしたアームを基点とするレバー部材の下向きの揺動により、前記ステムの押し下げを生起させるポンプ式流体注出器に関するものである。
【背景技術】
【０００２】
容器に使用するポンプ式流体注出器には、使い易さを考慮して、片手での注出が可能となるように、ベースから伸びるアームを支点とする、所謂、てこ式のハンドル（レバー部材）を採用したものがある（例えば、特許文献１参照）。
【特許文献１】実用新案登録第２５６４０２５号公報
【発明の開示】
【発明が解決しようとする課題】
【０００３】
しかしながら、てこ式のハンドルを採用する場合、アームを基点とするハンドルの回転（揺動）運動をステムの上下運動に変換することになるため、ハンドルをノズルに固定するときには、ノズルのみを別体として、軟材質などの弾性材料で構成する必要がある。
【０００４】
このため、ノズルのセット性（組み付け作業性）に問題があり、生産工程の複雑化を招く懸念があった。
【０００５】
本発明は、レバー部材をノズルに固定しても、ステムの押し込み及び復元の動作を妨げることなく、組み付け作業性に優れたポンプ式流体注出器を提供することにある。
【課題を解決するための手段】
【０００６】
本発明は、容器の口部に装着されるベースと、このベースにより前記口部内側に配置されるポンプと、このポンプから前記ベースを通って起立してその押し下げ及び復元の繰り返しにより当該ポンプを駆動させるステムと、このステムを通って汲み上げられた流体の注出口を有し当該ステムから前方に伸びるノズルと、前記ベースから後方に伸びるアームと、このアームを基点とする下向きの揺動により、前記ステムの押し下げを生起させるレバー部材とを備えるポンプ式流体注出器であって、
前記ノズルの後端部を前記ステムの上端に回動可能に支持し、上下方向に揺動可能にすることにより、当該ステムの押し込み及び復元の機能を確保したことを特徴とするものである。
【０００７】
本発明に係る、レバー部材は、ノズルに一体に連結した場合に、その機能を有効に発揮し得るが、レバー部材がノズルを介してステムを押し下げる構成の場合には、レバー部材をノズルに連結することなく構成することもできる。
【発明の効果】
【０００８】
本発明によれば、ノズルの後端部を前記ステムの上端に回動可能に支持し、上下方向に揺動可能にすることにより、当該ステムの押し込み及び復元の機能を確保したことから、レバー部材をノズルに固定しても、ステムの押し込み及び復元の動作を妨げることなく、組み付け作業性に優れたポンプ式流体注出器を提供することができる。
【発明を実施するための最良の形態】
【０００９】
以下、図面を参照して、本発明であるポンプ式流体注出器を詳細に説明する。
【００１０】
図１は、本発明の一形態であるフォーマーディスペンサ１を、ボトル１０の口部１１に装着した状態で示す要部断面図であり、その注出状態を二点鎖線で示す。図２(a),(b)はそれぞれ、図１の要部拡大図及びＸ−Ｘ断面図であり、更に、図３は、ノズルとステムとの組み付け状態を説明する分解斜視図である。
【００１１】
符号２は、ボトル１０の口部１１に螺着される装着筒２ａを有するベースである。装着筒２ａには、天壁２ｂが一体に繋がり、この天壁２ｂには、ボトル１０の内側に通じる開口部Ａ1が形成されている。
【００１２】
また、ベース２には、アーム２ｃが一体に形成されている。アーム２ｃは、後方に向かって伸びる先端部（以下、「アーム先端部」という）２ｄを有し、このアーム先端部２ｄの左右にそれぞれ、図２に示すように、軸部（以下、「アームピン」という）２ｐが設けられている。
【００１３】
符号３は、後述するステム５の押し下げを生起させるレバー部材（以下、「ハンドル」という）である。ハンドル３の後端部３ａには、図２に示すように、２つのアームピン２ｐをそれぞれ回動可能に支持する支持孔３ｈが形成されている。これにより、ハンドル３は、図１に示すように、左右に伸びる軸線Ｏ1を基点にアーム先端部２ｄの周りを上下方向に揺動させることができる。
【００１４】
符号４は、ベース２により口部１１の内側に配置されるポンプである。ポンプ４は、そのシリンダ４ａを介してベース２の下方に固定されている。ポンプ４は、既存のポンプである。ポンプ４は、後述するステム５を上下方向に伸びる軸線Ｏ3に沿って下向きに押し込んだとき、シリンダ４ａ内に配したスプリング４ｂの弾性力に抗した付勢力により、内容物の加圧又は圧送を生起させる一方、押し込みを解除したときのスプリング４ｂの復元力により、内容物の吸引と共に、押し込まれたステム５の復帰を生起させる。
【００１５】
符号５は、ポンプ３からベース２の開口部Ａ1を通って起立してその押し下げ及び復元の繰り返しにより当該ポンプ４を駆動させるステムである。ステム５の内側には、ポンプ４を外界に通じさせる貫通路５ａが形成されている。この貫通路５ａには、ジェットリングＲJが配置されている。ジェットリングＲJの内側には、２つのメッシュリングＲMが直列に配置されている。
【００１６】
符号６は、ステム５の貫通路５ａを通って汲み上げられた液状の内容物の注出口Ａ2を有し当該ステム５から前方に向かって伸びるノズルである。ノズル６は、下向きに開放された注出口Ａ2を有し、ハンドル３にその前方下方から嵌合する固定カバー３ｂを介して固定されたノズル本体６ａと、このノズル本体６ａに連結されるノズル基部６ｂとからなる。この連結部の形状は、真円形状、楕円形状、角形状等、流路が形成されれば何れの形状も選択可能である。なお、固定カバー３ｂには、ノズル６の注出口Ａ2が挿通される開口部Ａ3が形成されている。
【００１７】
ノズル基部６ｂの後端部６ｃには、図２に示すように、その左右にそれぞれ、軸部（以下、「ノズルピン」という）６ｐが設けられている。後端部６ｃは、その下方が、図３に示すように、左右方向に延在する半円筒状の湾曲面（以下、「ノズル湾曲面」という）６ｆを有する。また、ノズル湾曲面６ｆには、ステム５の貫通路５ａよりも小径の流体導入口Ａ4が形成されている。
【００１８】
一方、ステム５の上端（以下、「ステム上端」という）５ｅには、図３に示すように、前方を開放した左右後方を取り囲まれた凹部５ｎが設けられている。凹部５ｎの底部５ｂには貫通路５ａを開放させている。また、底部５ｂには、貫通路５ａの周囲を全周に亘って隆起させると共に、その頂部に、ノズル湾曲面６ｆと同一曲率となり、当該湾曲面６ｆによりノズル６を回動可能に保持する湾曲面（以下、「ステム湾曲面」という）５ｃが形成されている。
【００１９】
ステム湾曲面５ｃは、ノズル湾曲面６ｆをシールする摺接部として機能する。なお、本形態では、ステム湾曲面５ｃのうちの、当該ステム湾曲面５ｃの前方側及び後方側（特に、本形態では、前方側よりも後方側）を高くすることで、図２(a)に示すように、立ち上り部５ｃ1,５ｃ2を設けている。但し、本発明に従えば、貫通路５ａの周囲を全周に亘って隆起させることに替えて、凹部５ｎの底部５ｂに直接、当該凹部５ｎを形作る２つの側壁５ｆの間を伸びる凹みを設け、この凹みにノズル湾曲面６ｆと同一曲率面を形成し、ステム湾曲面（摺接部）５ｃとして構成することも可能である。
【００２０】
また、２つの側壁５ｆにはそれぞれ、ステム上端５ｅから、ノズルピン６ｐの外径よりも幅の狭い切り欠き５ｄを介して繋がり、当該ノズルピン６ｐを回動可能に支持する支持孔５ｈが形成されている。
【００２１】
これにより、ノズル６は、図１に示すように、ステム上端５ｅの摺接部（本形態では、ステム湾曲面５ｃ）に、ノズル後端部６ｃを密着させた状態で、左右に伸びる軸線Ｏ2を中心に上下方向に揺動させることができる。かかる構成によれば、ポンプ３を駆動させるべく、ハンドル３を軸線Ｏ1周りに押し下げることでハンドル３がノズル６に干渉しても、ノズル６もステム５に対して軸線Ｏ3周りに押し下げられるので、ステム５の押し込み及び復元の機能は確保される。
【００２２】
本形態によれば、ノズル後端部６ｃの左右にそれぞれ、ノズルピン６ｐを設け、凹部５ｎの側壁５ｆに当該ノズルピン６ｐを回動可能に支持する支持孔５ｈを形成することにより、ステム５の上方からノズル６を簡単に嵌合セットすることができ、更に、ステム上端５ｅの摺接部に、ノズル湾曲面６ｆを密着させた状態でノズルピン６ｐを回動可能に支持する側壁５ｆを設け、ノズル６をステム５に対して軸線Ｏ3周りに揺動可能にすることにより、ステム５の押し込み及び復元の機能を確保したことから、ハンドル３をノズル６に固定しても、ステム５の押し込み及び復元の動作を妨げることなく、組み付け作業性に優れたフォーマーディスペンサを提供することができる。
【００２３】
上述したところは、本発明の一形態を示したに過ぎず、特許請求の範囲内において、種々の変更を加えることができる。例えば、本発明に従うポンプ式流体注出器は、押圧ヘッドの押し込み及び復帰の繰返し動作によって容器内に負圧を発生させることで、流体の注出を可能とするものであれば、泡状の注出を伴うフォーマーディスペンサに限ることなく、その泡状の注出を伴なわない乳液ディスペンサ他、公知のディスペンサも含むものである。
【産業上の利用可能性】
【００２４】
本発明は、その流体の粘性を問わずに使用することができ、例えば、液体石鹸、シャンプー、リンス等の家庭用用品や、乳液等の化粧用容器に採用することができる。
【図面の簡単な説明】
【００２５】
【図１】本発明の一形態であるフォーマーディスペンサを、ボトルの口部に装着した状態で示す要部断面図である。
【図２】(a),(b)はそれぞれ、図１の要部拡大図及びＸ−Ｘ断面図である。
【図３】同形態に係るノズルとステムとの組み付け状態を説明する分解斜視図である。
【符号の説明】
【００２６】
１    フォーマーディスペンサ
２    ベース
２ｃ  アーム
２ｐ  アームピン（軸部）
３    ハンドル（レバー部材）
４    ポンプ
５    ステム
５ａ  貫通路
５ｂ  底部
５ｃ  ステム湾曲面（摺接部）
５ｃ1,５ｃ2立ち上がり部（摺接部）
５ｎ  凹部
６    ノズル
６ａ  ノズル本体
６ｂ  ノズル基部
６ｃ  ノズル基部後端部
６ｆ  ノズル湾曲面
６ｐ  ノズルピン（軸部）
【図１】
2010005599.tif 000003
【図２】
2010005599.tif 000004
【図３】
2010005599.tif 000005